(57)【特許請求の範囲】
【請求項１】
引出し収納機構により複数のよろい板状のシャッター羽根を備えた遮蔽手段が引出し収納自在とされて開口部の遮蔽と開放が行われる装置であって、
開口部において前記遮蔽手段の引出し収納方向に設けられたトラックガイドと、このトラックガイドに沿って移動自在とされた引きエレメントと回転エレメントとを備え、トラックガイドには、その長手方向に、シャッター羽根端部との隙間を覆うガスケットブラシもしくは舌片ガスケットが装着されているとともに、
複数のシャッター羽根の一部もしくは全部は、その各々の端部において、前記引きエレメントに設けられたガイド体により回転自在に支持された連結クランクピンの端部に固定され、
連結クランクピンの他方の端部は、回転エレメントに回転自在に支持されており、
また、前記引きエレメントもしくは回転エレメントのトラックガイドに沿っての微移動のための機構が具備され、この微移動の機構による引きエレメントもしくは回転エレメントの微移動で連結クランクピンが回転してシャッター羽根が旋回し、この旋回によって、前記遮蔽手段が引出されて開口部が遮蔽された状態のままで、遮蔽手段が部分開放される構造を持つことを特徴とする旋回シャッター羽根開口装置。
【請求項２】
引出し収納機構では、回転軸の回転により、この回転軸に巻取られた引きエレメントと回転エレメント並びに遮蔽手段の開口部への引出しと、引出された引きエレメントと回転エレメント並びに遮蔽手段の回転軸への巻取り収納が行われる請求項１の旋回シャッター羽根開口部装置。
【請求項３】
引出し収納機構では、引張り手段による、非開口部に設けたスライドガイドに沿っての引きエレメントと回転エレメント並びに遮蔽手段の開口部への引出しと、引出された引きエレメントと回転エレメント並びに遮蔽手段のスライドガイドに沿っての収納が行われる請求項１の旋回シャッター羽根開口装置。
【請求項４】
引きエレメントと回転エレメント並びに遮蔽手段の引出し収納が上下方向で行われる請求項１ないし３のいずれかの旋回シャッター羽根開口装置。
【請求項５】
引きエレメントと回転エレメント並びに遮蔽手段の引出し収納が左右方向で行われる請求項１ないし３のいずれかの旋回シャッター羽根開口装置。
【請求項６】
回転エレメントには支持体が設けられており、この支持体により連結クランクピンが回転自在に支持されている請求項１ないし５のいずれかの旋回シャッター羽根開口装置。
【請求項７】
引きエレメントおよび回転エレメントの少くとも一方には長穴が設けられており、この長穴において、ガイド体および支持体の少くとも一方が、長穴内において移動自在とされたピンにより引きエレメントもしくは回転エレメントに取付けられている請求項６の旋回シャッター羽根開口装置。
【請求項８】
複数のリボンプレートがその各々に設けた長穴においてピンによりガイド体もしくは支持体が取付けられることで相互に鎖状に連結されて、引きエレメントもしくは回転エレメントが構成されている請求項７の旋回シャッター羽根開口装置。
【請求項９】
ガイド体には、シャッター羽根に対向して延びる、シャッター羽根のストッパーとしての出張りが設けられている請求項１ないし８のいずれかの旋回シャッター羽根開口装置。
【請求項１０】
遮蔽手段の収納方向の引きエレメント端部はシャッター羽根もしくは引張り手段に固定されているとともに、同方向の回転エレメント端部は、伸縮自在な弾性手段を介してシャッター羽根もしくは引張り手段に連結され、その他方の端部には、トラックガイド内に設けられた仮停止部において仮停止される停止手段が具備されており、
回転エレメントの停止手段での仮停止の状態において、遮蔽手段の収納方向への微移動にともなう引きエレメントの微移動により連結クランクピンが回転してシャッター羽根が旋回する請求項１ないし９のいずれかの旋回シャッター羽根開口装置。
【請求項１１】
遮蔽手段の引出し方向の回転エレメント端部はシャッター羽根もしくは引張り手段に固定されているとともに、同方向の引きエレメント端部は、伸縮自在な弾性手段を介してシャッター羽根もしくは引張り手段に連結され、その他方の端部には、トラックガイド内に設けられた仮停止部において仮停止される停止手段が具備されており、
引きエレメントの停止手段での仮停止の状態において、遮蔽手段の引出し方向への微移動にともなう回転エレメントの微移動により連結クランクピンが回転してシャッター羽根が旋回する請求項１ないし９のいずれかの旋回シャッター羽根開口装置。
【発明の詳細な説明】
【０００１】
【発明の属する技術分野】
この出願の発明は、旋回シャッター羽根開口部装置に関するものである。さらに詳しくは、この出願の発明は、光や熱、風雨、音等の遮断、そして遮蔽の機能を持つものとして知られている雨戸や、シャッター、さらには間仕切りやスクリーン等において、遮断、遮蔽時にあっても調光（採光）、通風等のための部分開放を随時調節可能とし、コンパクトな収納を可能とし、開口部への引出し状態、そして収納状態においても外観性に優れたものとした、新しい旋回シャッター羽根開口部装置に関するものである。
【０００２】
【従来の技術とその課題】
従来より、建物の内部と外部との開口部には、外部視界、光や熱、風雨、雪、音等の遮断や、遮蔽のための雨戸やシャッターが用いられてきている。これらの開口部装置は、防犯、防火の上からも欠かせないものになっている。
しかしながら、従来の開口部装置としての雨戸やシャッターでは、遮断、遮蔽という機能のみが一方的に追求されてきており、特にマンション等の集合住宅では、密蔽性が一層高められてきていることから、採光や通風等の生活の快適さや環境との調和が忘れられ、犠牲にされている。
【０００３】
一部には、金属波板や折り曲げ板状の、あるいは巻取り方式の雨戸やシャッターに微小な通風孔を設けたものも知られているが、この通風孔に採光機能を持たせることや、通風、採光の機能を、雨戸やシャッターによる遮断、遮蔽状態においても自在に調節できるようにすることはほとんど考慮されてきていない。
また、従来では、ベネシャンブラインド方式の、つまりたくし上げ方式の調光可能なシャッターが知られているが、このものは、その収納がたくし上げた状態となるため、収納部が大きなものとなり、しかも外観性が悪く、室内インテリアとの調和を損うものとして目ざわりであるという欠点があった。
【０００４】
そこで、この出願の発明は、以上のとおりの従来品の問題点を解消して、雨戸やシャッター、さらには室内の間仕切りやスクリーンおよびブラインド等においても有用な、遮断、遮蔽時にあっても調光（採光）や通風の機能を、効果的に、かつ自在に調節可能とし、しかもコンパクトな収納をも可能として、開口部の引出し状態でも、そして収納状態においても外観性や、インテリアとの調和性にも優れた、新しい開口部装置を提供することを課題としている。
【０００５】
【課題を解決するための手段】
この出願は、上記のとおりの課題を解決するために、まず第１の発明として、引出し収納機構により複数のよろい板状のシャッター羽根を備えた遮蔽手段が引出し収納自在とされて開口部の遮蔽と開放が行われる装置であって、
開口部において前記遮蔽手段の引出し収納方向に設けられたトラックガイドと、このトラックガイドに沿って移動自在とされた引きエレメントと回転エレメントとを備え、トラックガイドには、その長手方向に、シャッター羽根端部との隙間を覆うガスケットブラシもしくは舌片ガスケットが装着されているとともに、
複数のシャッター羽根の一部もしくは全部は、その各々の端部において、前記引きエレメントに設けられたガイド体により回転自在に支持された連結クランクピンの端部に固定され、
連結クランクピンの他方の端部は、回転エレメントに回転自在に支持されており、
また、前記引きエレメントもしくは回転エレメントのトラックガイドに沿っての微移動のための機構が具備され、この微移動の機構による引きエレメントもしくは回転エレメントの微移動で連結クランクピンが回転してシャッター羽根が旋回し、この旋回によって、前記遮蔽手段が引出されて開口部が遮蔽された状態のままで、遮蔽手段が部分開放される構造を持つことを特徴とする旋回シャッター羽根開口装置を提供する。
【０００６】
また、この出願は、第１の発明に関連して、第２の発明として、引出し収納機構では、回転軸の回転により、この回転軸に巻取られた引きエレメントと回転エレメント並びに遮蔽手段の開口部への引出しと、引出された引きエレメントと回転エレメント並びに遮蔽手段の回転軸への巻取り収納が行われる旋回シャッター羽根開口部装置を、
第３の発明として、引出し収納機構では、引張り手段による、非開口部に設けたスライドガイドに沿っての引きエレメントと回転エレメント並びに遮蔽手段の開口部への引出しと、引出された引きエレメントと回転エレメント並びに遮蔽手段のスライドガイドに沿っての収納が行われる旋回シャッター羽根開口装置を、
第４の発明として、引きエレメントと回転エレメント並びに遮蔽手段の引出し収納が上下方向で行われる旋回シャッター羽根開口装置を、
第５の発明として、引きエレメントと回転エレメント並びに遮蔽手段の引出し収納が左右方向で行われる旋回シャッター羽根開口装置を提供する。
【０００７】
そしてまた、この出願は、第６の発明として、回転エレメントには支持体が設けられており、この支持体により連結クランクピンが回転自在に支持されている旋回シャッター羽根開口装置を、
第７の発明として、引きエレメントおよび回転エレメントの少くとも一方には長穴が設けられており、この長穴において、ガイド体および支持体の少くとも一方が、長穴内において移動自在とされたピンにより引きエレメントもしくは回転エレメントに取付けられている旋回シャッター羽根開口装置を、
第８の発明として、複数のリボンプレートがその各々に設けた長穴においてピンによりガイド体もしくは支持体が取付けられることで相互に鎖状に連結されて、引きエレメントもしくは回転エレメントが構成されている旋回シャッター羽根開口装置を、
第９の発明として、ガイド体には、シャッター羽根に対向して延びる、シャッター羽根のストッパーとしての出張りが設けられている旋回シャッター羽根開口装置を提供する。
【０００８】
さらに、この出願は、第１０の発明として、遮蔽手段の収納方向の引きエレメント端部はシャッター羽根もしくは引張り手段に固定されているとともに、同方向の回転エレメント端部は、伸縮自在な弾性手段を介してシャッター羽根もしくは引張り手段に連結され、その他方の端部には、トラックガイド内に設けられた仮停止部において仮停止される停止手段が具備されており、
回転エレメントの停止手段での仮停止の状態において、遮蔽手段の収納方向への微移動にともなう引きエレメントの微移動により連結クランクピンが回転してシャッター羽根が旋回する旋回シャッター羽根開口装置を、
第１１の発明として、遮蔽手段の引出し方向の回転エレメント端部はシャッター羽根もしくは引張り手段に固定されているとともに、同方向の引出しエレメント端部は、伸縮自在な弾性手段を介してシャッター羽根もしくは引張り手段に連結され、その他方の端部には、トラックガイド内に設けられた仮停止部において仮停止される停止手段が具備されており、
引出しエレメントの停止手段での仮停止の状態において、遮蔽手段の引出し方向への微移動にともなう回転エレメントの微移動により連結クランクピンが回転してシャッター羽根が旋回する旋回シャッター羽根開口装置を提供する。
【０００９】
【発明の実施の形態】
この出願の発明は、以上のとおりの特徴を持つものであるが、以下に実施例を示し、さらに詳しくこの出願の発明の実施の形態について説明する。
【００１０】
【実施例】
添付した図面の図１は、この出願の発明の旋回シャッター羽根開口部装置を例示した一部正面図（室内側から見た場合の）である。
たとえば、まずこの図１に例示したように、この出願の発明の旋回シャッター羽根開口部装置は、引出し収納機構により複数のよろい板状のシャッター羽根（１）を備えた遮蔽手段が引出し収納自在とされて開口部の遮蔽と開放が行われる装置であって、開口部において前記遮蔽手段の引出し収納方向に設けられたトラックガイド（２）と、このトラックガイド（２）に沿って移動自在とされた引きエレメント（３）と回転エレメント（４）とを備え、複数のシャッター羽根（１）の一部もしくは全部は、その各々の端部において、前記引きエレメント（３）に回転自在に支持された連結クランクピン（５）の端部に固定され、連結クランクピン（５）の他方の端部は、回転エレメント（４）に回転自在に支持されている。シャッター羽根（１）と連結クランクピン（５）との連結は、具体的には、たとえば、シャッター羽根（１）が挿着される取付部材（１０）に連結クランクピン（５）の端部が固定されることによって可能とされる。
【００１１】
また、この出願の発明の旋回シャッター羽根開口部装置では、前記引きエレメント（３）もしくは回転エレメント（４）のトラックガイド（２）に沿っての微移動のための機構が具備されている。この微移動は、この出願の発明の旋回シャッター羽根開口部装置においては重要な要件の一つである。それと言うのも、その具体例は後述するとして、この出願の発明の旋回シャッター羽根開口部装置では、微移動の機構による引きエレメントもしくは回転エレメントの微移動で連結クランクピン（５）が回転してシャッター羽根（１）が旋回し、この旋回によって、前記遮蔽手段が引出されて開口部が遮蔽された状態のままで、遮蔽手段が部分開放されるようにしているからである。
【００１２】
そして、図２の横断面図にも例示したように、トラックガイド（２）には、その長手方向に、シャッター羽根（１）端部との隙間を覆うガスケットブラシもしくは舌片ガスケット（６）が装着されている。
ガスケットブラシもしくは舌片ガスケット（６）は、トラックガイド（２）から抜け落ちることがないように、トラックガイド（２）に設けた断面Ｃ字型の溝（２１）内に挿着されている等の構造とすることができる。このようなガスケットブラシもしくは舌片ガスケット（６）は、利用者にとっては大変に気になる隙間からの風の吹き込みや光の漏れを極力抑えるためのものとして重要である。
【００１３】
この例においては、図示することは省略しているが、複数のシャッター羽根（１）を備えた遮蔽手段の開口部への引出し、その収納のための機構については各種の方式であってよい。たとえば、図１の例では、遮蔽手段の引出し収納が上下方向に行われるようにしており、そのための引出し収納機構としては、回転軸への巻取り方式を採用している。より具体的には、遮蔽手段としての複数のシャッター羽根（１）、そして引きエレメント（３）および回転エレメント（４）が回転軸に巻取られて収納され、逆に巻取り状態から開口部に引出されることになる。
【００１４】
また、図１および図２に例示したものでは、引きエレメント（３）にはガイド体（７）が設けられており、このガイド体（７）により連結クランクピン（５）が回転自在に支持されている。一方、回転エレメント（４）にも支持体（８）が設けられ、この支持体（８）により連結クランクピン（５）が回転自在に支持されている。
【００１５】
引きエレメント（３）および回転エレメント（４）は、長尺の板状体、プレート状体、あるいはワイヤやひも状のものでもあってもよいが、前記のとおりの巻取り方式による場合には、その素材や形状が回転軸への巻取り可能なものとされる。図１および図２の例では、引きエレメント（３）および回転エレメント（４）は、複数の細長いリボンプレートが、その各々の略両端部に設けた長穴（３１）（４１）において、ピン（９）によりガイド体（７）および支持体（８）が取付けられることで相互に鎖状に連結されて構成されている。
【００１６】
そして、このピン（９）によるガイド体（７）と支持体（８）の長穴（３１）（４１）での取付けは、この長穴（３１）（４１）内でのピン（９）の動きに応じて、ガイド体（７）と支持体（８）とが、各々、引きエレメント（３）および回転エレメント（４）に対して相対的に上下に移動自在となるようにしている。別に言えば、引きエレメント（３）を構成しているプレートは、長穴（３１）の長さの範囲でガイド体（７）に対して相対的に上下に動くことができ、また同様に、回転エレメント（４）を構成しているプレートも、長穴（４１）の長さ範囲で支持体（８）に対して相対的に上下に動くことができるようになっている。
【００１７】
この相対的な移動は、この出願の発明の旋回シャッター羽根開口部装置の前記の微移動による連結クランクピン（５）の回転によるシャッター羽根（１）の旋回をより円滑なものとし、かつ、巻取り方式による引きエレメント（３）と回転エレメント（４）の巻取り収納をより容易なものとする。
なお、図１および図２に例示した装置では、引きエレメント（３）のガイド体（７）には、シャッター羽根（１）に対向して延びるシャッター羽根のストッパーとしての出張り（７１）が設けられている。この出張り（７１）は、シャッター羽根（１）の端部の取付部材（１０）に当接するようにガイド体（７）より延設されており、この当接により、シャッター羽根（１）の旋回は停止されることになる。たとえば、この当接による停止は、シャッター羽根（１）が開口部を遮蔽する位置にあるようにする。
【００１８】
図３は、シャッター羽根（１）と取付部材（１０）並びにガイド体（７）の出張り（７１）との位置関係を例示した断面図である。
たとえば、この図３のように、取付部材（１０）の溝部内にシャッター羽根（１）の端部が挿着され、両者はネジ（１１）により固定される。シャッター羽根（１）は、開口部において外側、つまり室外に向って膨出する形状を有し、旋回し、出張り（７１）に当接されることで停止されるようにしている。
【００１９】
この場合のシャッター羽根（１）については、その上縁部（１０１）および下縁部（１０２）において、シャッター羽根（１）の遮蔽状態では、上部のシャッター羽根（１ａ）の下縁部が下部のシャッター羽根（１ｂ）の上縁部と重なるようにされている。これにより、開口部位置の遮蔽状態を確保するようにしている。
【００２０】
もちろんシャッター羽根は、図３の形状に限られることはない。たとえば図４のような配置となるようにしてもよいし、さらに様々なものが考慮される。
微移動、すなわち、シャッター羽根（１）が、遮蔽状態から旋回するための機構については様々に可能とされるが、シャッター羽根（１）が、前記図３の場合のように、その上縁部（１０１）および下縁部（１０２）において重なり合うようにした例においては、まず、シャッター羽根（１）と上部シャッター羽根（１ａ）との間、シャッター羽根（１）と下部シャッター羽根（１ｂ）との間が離れるように前記引きエレメント（３）が微移動し、次いで、各々のシャッター羽根（１）（１ａ）（１ｂ）が旋回するように引きエレメント（３）が微移動するようにしている。
【００２１】
シャッター羽根（１）の相互の間が離れるようにする引きエレメント（３）の微移動は、前記のような、長穴（３１）を持つプレートからなる引きエレメント（３）と、これに対してピン（９）により相対移動可能とされたガイド体（７）との構造により可能とされる。
シャッター羽根（１）の旋回については、たとえば次の微移動の機構により実現することができる。
【００２２】
すなわち、図１のように、遮蔽手段の収納方向の引きエレメント（３）の上端部は、横方向長さの長いシャッター羽根（１００Ａ）もしくはその他の引張り手段に固定され、他方の端部は自由端とされているとともに、同方向の回転エレメント（４）の上端部は、伸縮自在な弾性手段（１２）を介して横方向長さの長いシャッター羽根（１００Ｂ）もしくはその他の引張り手段に連結され、他方の端部には、トラックガイド（２）内に設けられた微移動仮停止部において仮停止される停止手段が具備されているものとすることができる。
【００２３】
この構造においては、たとえば図１のように、シャッター羽根（１）が遮蔽状態のままで、回転エレメント（４）がその下端部の停止手段で仮停止された状態で引きエレメント（３）を上方へ引張って微移動させると、回転エレメント（４）の最上端に配設されている弾性手段（１２）としてのコイルバネ等は伸びるが、回転エレメント（４）は仮停止されたままで、引きエレメント（３）が上方へ動くため、連結クランクピン（５）が回転することになる。この回転によって、シャッター羽根（１）が旋回する。
【００２４】
この旋回によるシャッター羽根（１）の開きの大きさは、引きエレメント（３）の上方微移動の大きさ、そして、これにより規定される連結クランクピン（５）の回転の大きさにより定まることになる。
以上の場合の回転エレメント（４）の仮停止については、たとえば以下の例として実施される。
【００２５】
すなわち、まず、前記のトラックガイド（２）内には、たとえば開口部が遮蔽手段により遮蔽された状態となる引出し方向の前端部、つまり図１の例のように上下方向に巻取り収納および引出し自在とした場合には最下端部に、たとえば図５の縦断面形状を持つ仮停止部（１３）が設けられる。そして、この仮停止部（１３）において、回転エレメント（４）は、その下端に設けた停止手段（１４）により仮停止されるようにすることができる。
【００２６】
仮停止部（１３）における仮停止について詳しく例示説明すると、まず、仮停止部（１３）は、図６の平面図および前記図５の断面図に示したように、２枚の板状体（１３Ａ）（１３Ｂ）が、その各々に形成した溝（１３ａ）（１３ｂ）（１３ｃ）（１３ｄ）をもって対向させて嵌合ないしはビスにより連結されている。回転エレメント（４）の下端部の停止手段（１４）、たとえば図５のように球状体とした停止手段（１４）が、この溝（１３ａ）（１３ｂ）（１３ｃ）（１３ｄ）に沿って移動する過程において仮停止されることになる。
【００２７】
移動過程を示したものが、図７である。
＜Ａ＞  この出願の発明の上下開閉式の旋回シャッター羽根開口部装置において、複数のシャッター羽根（１）からなる遮蔽手段を開口部に引出して降下させる。開口部が完全に遮蔽される直前の段階では、図７＜Ａ＞のように、回転エレメント（４）下端部の停止手段（１４）が、トラックガイド（２）内の仮停止部（１３）の導入溝としての溝（１３ａ）に入ってくる。
＜Ｂ＞  次いで、溝（１３ａ）から溝（１３ｂ）を経由して、停止手段（１４）は、図７＜Ｂ＞のように、溝（１３ｂ）の最下端まで降下する。この時、前記シャッター羽根（１）からなる遮蔽手段は、完全に、図１の状態のように、開口部を遮蔽する。
＜Ｃ＞  この遮蔽されたままの状態において、たとえば巻取り方式により、前記のシャッター羽根（１）とともに、引きエレメント（３）および回転エレメント（４）を上方に向って微移動させる。
【００２８】
すると、回転エレメント（４）下端部の停止手段（１４）は、溝（１３ｃ）の上端において停止される。この状態で、さらに上方に向っての微移動が行われると、前記したように、図１の回転エレメント上端部の弾性手段（１２）が伸びる。
一方、前記のとおり、引きエレメント（３）については、上方に向って微移動するので、それにともなって連結クランクピン（５）が回転し、シャッター羽根（１）が旋回する。
【００２９】
この旋回により、複数のシャッター羽根（１）を備えた遮蔽手段は、各々のシャッター羽根（１）において部分開放され、採光と通風が可能とされることになる。
この旋回の大きさ、すなわち部分開放の大きさは、たとえば巻取り手段の微操作による微小な上下動で調節可能とされる。
＜Ｄ＞  シャッター羽根（１）での部分開放を終了させるには、遮蔽手段としての複数のシャッター羽根（１）並びに引きエレメント（３）および回転エレメント（４）を、たとえば巻取り方式の作動を逆にして下方に向って微移動させればよい。
【００３０】
この微移動においては、図７＜Ｄ＞のように、停止手段（１４）は、溝（１３ｄ）に導かれて、その最下端で、微移動が終了する。これで、シャッター羽根（１）からなる遮蔽手段は、完全に開口部を遮蔽することになる。
再度部分開放する場合は、図７＜Ｄ＞の状態から停止手段（１４）が上方に微移動されて、仮停止部（１３）から上方に抜き出され、再度、図７＜Ａ＞の過程に移行することにより可能とされる。
【００３１】
以上の過程として、シャッター羽根（１）の部分開放が可能とされるが、この部分開放は、誤解のないように説明すれば、図８＜Ｂ＞のように、複数のシャッター羽根（１）を備えた遮蔽手段（１００）が、開口部（１１０）を完全に遮蔽した状態において、図８＜Ｃ＞のように、各々のシャッター羽根（１）が旋回して部分開放されることを意味している。
【００３２】
遮蔽手段（１００）が収納されて完全に開放される時は、たとえば図８＜Ｄ＞のように収納されることを意味している。
従って、図７＜Ａ＞＜Ｂ＞＜Ｃ＞＜Ｄ＞の過程は、図８＜Ｂ＞と図８＜Ｃ＞において行われることになる。
以上の例は、上下方向の巻取り方式、すなわち、図８のように、開口部（１１０）上部に設けた収納ボックス（１５）内の巻取り用の回転軸への巻取りとそこからの引出しで、上下に、遮蔽手段（１００）を移動可能にした例を示しているが、この出願の発明の旋回シャッター羽根開口部装置では、このような例に限られることはない。
【００３３】
たとえば、同様の上下動による引出し収納の方式においても、たとえば、図９に例示したように、巻取り用の回転軸（１５１）を、開口部の下部に配置し、複数のシャッター羽根（１）を備えた遮蔽手段（１００）を、プーリー（１５２）やワイヤー（１５３）あるいはひも等により上下方向に引出し収納自在とすること等が可能とされる。このような場合には、上記の例とは異って、前記の回転エレメント（４）下端部の停止手段（１４）を最上端に設け、トラックガイド（２）の上部に前記仮停止手段（１３）を設けるようにしてもよい。また、巻取り方式ではなく、図１０のように、収納スライドボックス（１６）を設けて開口部の上下方向に引出し収納自在としてもよい。
【００３４】
そして、さらにこの出願の発明の旋回シャッター羽根開口部装置では、平面状態として例示した図１１および図１２のように、略垂直状態に設けた回転軸（１５１）に巻取り収納できるようにした、左右方向の引出し収納による方式でもよい。この場合には、前記シャッター羽根（１）は、その長手方向は、開口部の上下方向となる。
【００３５】
さらには、図１３のように、トラックガイド（２）を曲げて上下方向に遮蔽手段（１００）が引出し収納されるようにしてもよいし、図１４のように、同様に開口部の意匠に合わせる等により、トラックガイド（２）を曲げて左右方向に引出し収納できるようにしてもよい。
引出し収納のための回転軸（１５１）の回転やスライド移動についての駆動手段は、従来のロールスクリーン装置やシャッター装置等と同様に、電動方式、手動方式の各種の態様が可能である。
【００３６】
もちろん、さらにこの出願の発明の旋回シャッター羽根開口部装置については、形状、素材、構造について様々に可能であることは言うまでもない。前記シャッター羽根（１）についても、防犯、防火等の目的からは軽量の金属や合金、あるいは硬質で不燃性とした樹脂等が考慮される。もちろん、設置目的や場所によっては木質材や、硬質繊維プレート等であってもよい。また、この出願の発明の旋回シャッター羽根開口部装置は、雨戸やウィンドシャッターとしての利用だけでなく、室内の間仕切り、パーティションとしても利用でき、インテリア意匠の観点から、柔らかな感じの素材と色調のものとして考慮してもよい。
【００３７】
微移動のための素材、構造についても同様である。たとえばより具体的にも、前記の例とは異って、遮蔽手段の引出し方向の回転エレメント端部をシャッター羽根もしくは他の引張り手段に固定するとともに、同方向の引きエレメント端部を伸縮自在な弾性手段を介してシャッター羽根もしくは引張り手段に連結し、その他端部には、トラックガイド内に設けられた微移動仮停止部において仮停止される停止手段を具備して、引きエレメントの停止手段での仮停止の状態において、遮蔽手段の引出し方向への微移動にともなう回転エレメントの微移動により連結クランクピンが回転してシャッター羽根が旋回するようにしてもよい。
【００３８】
その他、様々な態様が可能である。
【００３９】
【発明の効果】
以上詳しく説明したように、この出願の発明によって、たとえば雨戸等を閉じた状態で、昼夜の区別なく、採光、通風等のための部分開放が可能で、しかも、シャッター羽根とトラックガイドとの隙間からの光や風の漏れによる不都合も生じない、新しい旋回シャッター羽根開口部装置が提供される。
【図面の簡単な説明】
【図１】  この出願の発明の旋回シャッター羽根開口部装置の構成を例示した一部正面図である。
【図２】  図１に対応する横断面図である。
【図３】  シャッター羽根について例示した断面図である。
【図４】  図３とは別の例を示した断面図である。
【図５】  仮停止部（１３）を例示した縦断面図である。
【図６】  仮停止部（１３）を例示した平面図である。
【図７】  ＜Ａ＞＜Ｂ＞＜Ｃ＞＜Ｄ＞は仮停止の過程を例示した縦断面図である。
【図８】  ＜Ａ＞＜Ｂ＞＜Ｃ＞＜Ｄ＞は、この出願の発明の旋回シャッター羽根開口部装置の開閉状態を例示した斜視図である。
【図９】  別の巻取り方式の上下開閉の例を示した側面図である。
【図１０】  スライド収納による上下開閉の例を示した側面図である。
【図１１】  巻取り方式による左右開閉の例を示した平面図である。
【図１２】  図１１と別の例を示した平面図である。
【図１３】  曲がったトラックガイドによる上下開閉の例を示した側面図である。
【図１４】  曲がったトラックガイドによる左右開閉の例を示した平面図である。
【符号の説明】
１，１ａ，１ｂ  シャッター羽根
１００Ａ，１００Ｂ  シャッター羽根
１００  遮蔽手段
１０１  上縁部
１０２  下縁部
２  トラックガイド
３  引きエレメント
３１  長穴
４  回転エレメント
４１  長穴
５  連結クランクピン
６  ガスケットブラシもしくは舌片ガスケット
７  ガイド体
７１  出張り
８  支持体
９  ピン
１０  取付部材
１１  ネジ
１２  弾性手段
１３  仮停止部
１３ａ，１３ｂ，１３ｃ，１３ｄ  溝
１４  停止手段
１５  収納ボックス
１５１  回転軸
１５２  プーリー
１５３  ワイヤー
１６  収納スライドボックス
【図１】
0003913891.tif 000002
【図２】
0003913891.tif 000003
【図３】
0003913891.tif 000004
【図４】
0003913891.tif 000005
【図５】
0003913891.tif 000006
【図６】
0003913891.tif 000007
【図７】
0003913891.tif 000008
【図８】
0003913891.tif 000009
【図９】
0003913891.tif 000010
【図１０】
0003913891.tif 000011
【図１１】
0003913891.tif 000012
【図１２】
0003913891.tif 000013
【図１３】
0003913891.tif 000014
【図１４】
0003913891.tif 000015